(57)【要約】【課題】  網かごに重量物を載置しても網かごが変形したりすることのない網かご引出しを提供する。【解決手段】  引出し自在に移動すると共に上面部に網かご１が載置される上載置部２１を設けた一対のレール部材２と、側網１１及び底網１２からなり両側端部が前記一対のレール部材２にそれぞれ載置される網かご１とからなる網かご引出しである。網かご１の側網１１の上端部にレール部材２の上載置部２１に載置される平面視において網かご本体１０よりも大きい張り出し部１３を設けると共に、レール部材２の内側面２０の下端部に網かご１の底網１２のコーナー部が載置される下載置部２２を突設し、網かご１の横幅をレール部材２の間隔とほぼ同じか若干短く形成した。【選択図】        図１
2005130921.tif 000002
【特許請求の範囲】
【請求項１】
引出し自在に移動すると共に上面部に網かごが載置される上載置部を設けた一対のレール部材と、側網及び底網からなり両側端部が前記一対のレール部材にそれぞれ載置される網かごとからなる網かご引出しであって、網かごの側網の上端部にレール部材の上載置部に載置される平面視において網かご本体よりも大きい張り出し部を設けると共に、レール部材の内側面の下端部に網かごの底網のコーナー部が載置される下載置部を突設し、網かごの横幅をレール部材の間隔とほぼ同じか若干短く形成して成ることを特徴とする網かご引出し。
【請求項２】
レール部材の下載置部の先端に上方に向けて該下載置部に載置される網かごの底網の引出し方向の線材に引っ掛けて網かごの移動を規制する引っ掛け片を設けて成ることを特徴とする請求項１記載の網かご引出し。
【発明の詳細な説明】
【技術分野】
【０００１】
本発明は、引出し自在な一対のレール部材に網かごを載置してなる網かご引出しに関するものである。
【背景技術】
【０００２】
従来より、網かごを引出し自在に収納する網かご引出しが用いられている（例えば特許文献１参照）。これは、網かごの上端に形成されたフランジ部の両側端部をガイド溝に前後方向より挿入して、引出し自在に収納するものである。このものにあっては、フランジ部がガイド溝と摺接してしまうため、引出し自在なレール部材に網かごを載置するものが用いられている。
【０００３】
これは、網かごの収納空間の両側壁にそれぞれ固定レールを設けると共に、該固定レールに対して移動可能な可動レールを設け、可動レールに網かごを取り付けて可動レール及び網かごを引出し自在に引出すものである。
【０００４】
しかしながら、このものにあっては、網かごの上端部の線材または側面部の線材を可動レールに設けた係止部に係止して載置するもので、網かごに鍋等の重量物を載置した際に網かごが撓んだりして変形してしまい、さらに撓んで線材の係止部での係止が外れて網かごが落下する惧れもあるものであった。
【特許文献１】登録実用新案第３０３２７５７号公報
【発明の開示】
【発明が解決しようとする課題】
【０００５】
本発明は、上記の従来の問題点に鑑みて発明したものであって、その目的とするところは、網かごに重量物を載置しても網かごが変形したりすることのない網かご引出しを提供することを課題とするものである。
【課題を解決するための手段】
【０００６】
上記課題を解決するために請求項１に係る発明にあっては、引出し自在に移動すると共に上面部に網かご１が載置される上載置部２１を設けた一対のレール部材２と、側網１１及び底網１２からなり両側端部が前記一対のレール部材２にそれぞれ載置される網かご１とからなる網かご引出しであって、網かご１の側網１１の上端部にレール部材２の上載置部２１に載置される平面視において網かご本体１０よりも大きい張り出し部１３を設けると共に、レール部材２の内側面２０の下端部に網かご１の底網１２のコーナー部が載置される下載置部２２を突設し、網かご１の横幅をレール部材２の間隔とほぼ同じか若干短く形成して成ることを特徴とするものである。このような構成とすることで、網かご１に重いものを載置しても、二箇所で載置してかつ網かご１が保形された状態となっているので、網かご１が撓むのが防止または抑制される。
【０００７】
また、請求項２の発明は、レール部材２の下載置部２２の先端に上方に向けて該下載置部２２に載置される網かご１の底網１２の引出し方向の線材に引っ掛けて網かご１の移動を規制する引っ掛け片２３を設けて成ることを特徴とするものである。このようにすることで、網かご１の前後方向の移動が規制される。
【発明の効果】
【０００８】
本発明にあっては、網かごに重いものを載置しても、二箇所で載置してかつ網かごが保形された状態となっているので、網かごが撓むのが防止または抑制される。
【発明を実施するための最良の形態】
【０００９】
以下、本発明を添付図面に示す実施形態に基づいて説明する。本発明の網かご引出しは、引出し自在に設けられる一対のレール部材２と、この一対のレール部材２に載置される網かご１とからなり、例えば食器乾燥器等の引出しる。
【００１０】
レール部材２は、網かご１が取り付けられるもので、本実施形態では、網かごの収納空間３に固定される固定レール４及びこの固定レール４に対して前方に引出される中間レール５を設け、この中間レール５に対して更に前方に引出されるレール部材２が設けてある。
【００１１】
網かごの収納空間３は、少なくとも両側壁３１を有すると共に前方（引出しである網かご１を引く方向）に開口しており、一般的には、両側壁３１、上下壁及び奥壁を有するものである。そして、この網かごの収納空間３の両側壁３１にそれぞれ固定レール４が設けてある。固定レール４は、図に示すように、断面が大略Ｊ字状をしたもので、長い方の側縦片を網かごの収納空間３の側壁３１に前後方向を長手方向としてほぼ側壁３１の前後端間に亘って固定される。そして、固定レール４に中間レール５がスライド自在に挿入される。
【００１２】
中間レール５は、固定レール４とほぼ同じ長さに形成されるもので、その下部にローラ５１を回転自在に設けてある。この中間レール５は、ローラ５１を固定レール４の上面に転動可能に載置して固定レール４に対して長手方向に移動自在に設けてある。そして、中間レール５の後端部が固定レール４の略中央部まで引出された際にそれ以上の引出しを規制するストッパー（図示せず）が中間レール５及び固定レール４に設けてある。これにより、中間レール５は固定レール４に対して後方に移動した際には側面視において重なるように位置し、中間レール５を前方に限界まで引出した際には、中間レール５の前半部分が固定レール４から前方に突出した状態となる。
【００１３】
次に、レール部材２について説明する。レール部材２は、中間レール５上に移動自在に設けられる台部２ａと、台部２ａに取り付けられて網かご１を支持する本体部２ｂとからなり、その長さが固定レール４及び中間レール５とほぼ同じ長さのものである。台部２ａの上片２７にはローラ２８が回転自在に設けてあり、これによって、このレール部材２の台部２ａがそのローラ２８が中間レール５の上面に転動可能に載置されることで中間レール５に対して長手方向に移動自在に設けられる。そして、レール部材２の台部２ａの後端部が中間レール５の略中央部まで引出された際にそれ以上の引出しを規制するストッパー（図示せず）が中間レール５及びレール部材２の台部２ａに設けてある。これにより、レール部材２の台部２ａは中間レール５に対して後方に移動した際には側面視において重なるように位置し、レール部材２の台部２ａを前方に限界まで引出した際には、レール部材２の台部２ａの前半部分が中間レール５から前方に突出した状態となり、この時レール部材２の台部２ａの全長が固定レール４即ち、網かごの収納空間３から引出される。
【００１４】
次に、台部２ａに取り付けられる本体部２ｂについて説明する。本体部２ｂは、断面略ロ字状又は略コ字状等をしたもので、本実施形態では下方に開口する略コ字状をしたものである。本体部２ｂの上面部は、網かご１の張り出し部１３が載置される上載置部２１となっている。この本体部２ｂは固着具２９によって台部２ａに固定されるが、固着具２９はビス、ボルト・ナット等とくに限定されない。ここで、網かご１について説明する。網かご１は金属等からなる線材で形成されるもので、側網１１と底網１２とからなる上方に開口する略箱状をしたものである。この網かご１には、側網１１の上端部にレール部材２の上載置部２１に載置される平面視において網かご本体１０よりも大きい張り出し部１３が設けてあり、上述したようにこの張り出し部１３がレール部材２の本体部２ｂの上載置部２１に載置される。網かご１の横幅（即ち左右の側網１１の間の距離）をレール部材２の間隔とほぼ同じか若干短く形成してある。
【００１５】
また、レール部材２の本体部２ｂの内側面２０には、その下端部に網かご１の底網１２のコーナー部の縦線材（即ち前後方向の線材）が載置される板状の下載置部２２を網かごの収納空間３内に向けて横方向に突設してある。この下載置部２２には、網かご１が取り付けられた際に、網かご１の底網１２のコーナー部の横線材間にそれぞれ位置するように長手方向において複数個の引っ掛け片２３が上方に向けて突設される。この引っ掛け片２３に網かご１の底網１２の横線材が当接して、網かご１の前後方向の移動が規制されると共に、下載置部２２に載置されている網かご１の底網１２の縦線材が下載置部２２から外れて落下するのが防止される。
【００１６】
上記のような一対のレール部材２は、最大限に引出された状態で両側の対向する本体部２ｂ間に網かご１が載置され、これは上述したように網かご１の張り出し部１３がレール部材２の上載置部２１に載置されると共に底網１２のコーナー部の縦線材が下載置部２２に載置される。
【００１７】
以上のような構成によれば、レール部材２の上載置部２１に網かご１の上端部に張り出し部１３を設けて該張り出し部１３を載置すると共に、網かご１の側網１１の下端部の縦線材をレール部材２の内側面２０の下端部に設けた下載置部２２に載置し、且つ、網かご１の左右の側網１１の線材がレール部材２の内側面２０に当接又は近接配置されるので、網かご１に重いものを載置しても、二箇所で載置してかつ網かご１が保形された状態となっているので、網かご１が撓むのが防止または抑制される。
【図面の簡単な説明】
【００１８】
【図１】本発明の一実施形態の要部断面図である。
【図２】同上の網かごの斜視図である。
【図３】同上の網かごをレール部材に載置した状態の要部斜視図である。
【符号の説明】
【００１９】
１    網かご
１０  網かご本体
１１  側網
１２  底網
１３  張り出し部
２    レール部材
２０  内側面
２１  上載置部
２２  下載置部
２３  引っ掛け片
【図１】
2005130921.tif 000003
【図２】
2005130921.tif 000004
【図３】
2005130921.tif 000005